(57)【特許請求の範囲】
【請求項１】
土層で囲まれた火薬等の貯蔵倉庫を覆うための貯蔵倉庫用シートであって、
シート体と、
前記シート体の両面のうち、前記貯蔵倉庫側の面を、前記シート体が本来有している摩擦係数より大きな摩擦係数を有するように処理する摩擦力増大手段とを備えた、貯蔵倉庫用シート。
【請求項２】
前記シート体はゴムシートよりなり、
前記摩擦力増大手段は、前記ゴムシートの前記貯蔵倉庫側の面に配置された不織布シートを含む、請求項１記載の貯蔵倉庫用シート。
【請求項３】
前記シート体はゴムシートよりなり、
前記摩擦力増大手段は、前記ゴムシートの前記貯蔵倉庫側の面を凹凸状態に加工した凹凸模様を含む、請求項１記載の貯蔵倉庫用シート。
【請求項４】
土層で囲まれた火薬等の貯蔵倉庫を覆うための貯蔵倉庫用シートであって、
シート体と、
前記シート体の外面のうち少なくとも前記土層に接する面を、前記シート体が本来有している摩擦係数より大きな摩擦係数を有するように処理する摩擦力増大手段とを備え、
前記シート体は不織布シートよりなり、
前記摩擦力増大手段は、前記不織布シートの少なくとも一方面に取付けられた不織布よりなる複数の袋体を含む、貯蔵倉庫用シート。
【請求項５】
土層で囲まれた火薬等の貯蔵倉庫を覆うための貯蔵倉庫用シートであって、
シート体と、
前記シート体の外面のうち少なくとも前記土層に接する面を、前記シート体が本来有している摩擦係数より大きな摩擦係数を有するように処理する摩擦力増大手段とを備え、
前記シート体は不織布シートよりなり、
前記摩擦力増大手段は、前記不織布シートの少なくとも一方面に取付けられた複数の突起体を含む、貯蔵倉庫用シート。
【請求項６】
前記突起体は、砂、小石を含む、請求項５記載の貯蔵倉庫用シート。
【請求項７】
土層で囲まれた火薬等の貯蔵倉庫を覆うための貯蔵倉庫用シートであって、
シート体と、
前記シート体の端部に設けられ、前記土層に接する面上における前記土層に対する引き抜き力が前記シート体のみの引き抜き力より大きくなるような形状を有する引抜力増大手段とを備えた、貯蔵倉庫用シート。
【請求項８】
前記引抜力増大手段は、
前記シート体の前記端部を前記土層側に折り返した折り返しシートと、
前記折り返しシートによって折り返されたスペースに格納された複数の袋体を含む、請求項７記載の貯蔵倉庫用シート。
【請求項９】
前記引抜力増大手段は、
前記シート体の前記端部に取付けられ、その下方端部の少なくとも前記土層側に返し部分が形成されるフィンを含む、請求項７記載の貯蔵倉庫用シート。
【発明の詳細な説明】
【技術分野】
【０００１】
この発明は貯蔵倉庫用シートに関し、特に、土層に囲まれた、爆発危険性を有する火薬類等を貯蔵するための貯蔵倉庫を覆うための貯蔵倉庫用シートに関するものである。
【背景技術】
【０００２】
従来の火薬類等を貯蔵するための貯蔵倉庫は、コンクリート製の構造体で構成されているのが一般的である。
【０００３】
又、特許文献１に示すように、一対の不透水性のシートの間に複数の密封式のチューブ群を配列して連続構造体を形成し、この連続構造体に発泡ウレタン等を充填して所定の形状に立ち上がらせて貯蔵倉庫を構築する方法が提案されている。これによって、施工が容易となり、トンネル内で大きな容積の倉庫を確保できるとされている。
更に、特許文献１と同様に複数の密封式のチューブ群等を用いて、底部となるベース枠、屋根構造及び端壁構造よりなるエヤテント型の貯蔵倉庫が提案されている（特許文献２）。
【先行技術文献】
【特許文献】
【０００４】
【特許文献１】特公平６−２３５１８号公報
【特許文献２】実公昭６２−１９７９４号公報
【発明の概要】
【発明が解決しようとする課題】
【０００５】
上記のような従来のコンクリート製の構造体の貯蔵倉庫では、火薬類が爆発したとき、構造体の破片が飛散したり、爆風圧が拡散する虞がある。
【０００６】
又、特許文献１及び特許文献２の貯蔵倉庫では、コンクリート片の飛散等は無いものの構造が複雑であり、施工性、汎用性が高いとは言えない。
【０００７】
この発明は、上記のような課題を解決するためになされたもので、土層に囲まれた火薬等を貯蔵する倉庫本体の爆発時における爆発片の飛散や爆風圧の拡散を抑制する貯蔵倉庫用シートを提供することを目的とする。
【課題を解決するための手段】
【０００８】
上記の目的を達成するために、請求項１記載の発明は、土層で囲まれた火薬等の貯蔵倉庫を覆うための貯蔵倉庫用シートであって、シート体と、シート体の両面のうち、貯蔵倉庫側の面を、シート体が本来有している摩擦係数より大きな摩擦係数を有するように処理する摩擦力増大手段とを備えたものである。
【０００９】
このように構成すると、爆発時におけるシート体の貯蔵倉庫側の面の土層に対する摩擦抵抗が増大する。
【００１０】
請求項２記載の発明は、請求項１記載の発明の構成において、シート体はゴムシートよりなり、摩擦力増大手段は、ゴムシートの貯蔵倉庫側の面に配置された不織布シートを含むものである。
【００１１】
このように構成すると、ゴムシートは不織布シートを介して土層に面する。
【００１２】
請求項３記載の発明は、請求項１記載の発明の構成において、シート体はゴムシートよりなり、摩擦力増大手段は、ゴムシートの貯蔵倉庫側の面を凹凸状態に加工した凹凸模様を含むものである。
【００１３】
このように構成すると、ゴムシートそのものの摩擦係数が増大する。
【００１４】
請求項４記載の発明は、土層で囲まれた火薬等の貯蔵倉庫を覆うための貯蔵倉庫用シートであって、シート体と、シート体の外面のうち少なくとも土層に接する面を、シート体が本来有している摩擦係数より大きな摩擦係数を有するように処理する摩擦力増大手段とを備え、シート体は不織布シートよりなり、摩擦力増大手段は、不織布シートの少なくとも一方面に取付けられた不織布よりなる複数の袋体を含むものである。
【００１５】
このように構成すると、爆発時におけるシート体の土層に対する摩擦抵抗が増大する。又、不織布シートの一方面は凹凸状態になる。
【００１６】
請求項５記載の発明は、土層で囲まれた火薬等の貯蔵倉庫を覆うための貯蔵倉庫用シートであって、シート体と、シート体の外面のうち少なくとも土層に接する面を、シート体が本来有している摩擦係数より大きな摩擦係数を有するように処理する摩擦力増大手段とを備え、シート体は不織布シートよりなり、摩擦力増大手段は、不織布シートの少なくとも一方面に取付けられた複数の突起体を含むものである。
【００１７】
このように構成すると、爆発時におけるシート体の土層に対する摩擦抵抗が増大する。又、不織布シートの一方面は凹凸状態になる。
【００１８】
請求項６記載の発明は、請求項５記載の発明の構成において、突起体は、砂、小石を含むものである。
【００１９】
このように構成すると、不織布シートの一方面は細かな凹凸状態になる。
【００２０】
請求項７記載の発明は、土層で囲まれた火薬等の貯蔵倉庫を覆うための貯蔵倉庫用シートであって、シート体と、シート体の端部に設けられ、土層に接する面上における土層に対する引き抜き力がシート体のみの引き抜き力より大きくなるような形状を有する引抜力増大手段とを備えたものである。
【００２１】
このように構成すると、爆発時におけるシート体の土層に対する引き抜き時の抵抗が増大する。
【００２２】
請求項８記載の発明は、請求項７記載の発明の構成において、引抜力増大手段は、シート体の端部を土層側に折り返した折り返しシートと、折り返しシートによって折り返されたスペースに格納された複数の袋体を含むものである。
【００２３】
このように構成すると、引抜力増大手段はシート体に一体となる。
【００２４】
請求項９記載の発明は、請求項７記載の発明の構成において、引抜力増大手段は、シート体の端部に取付けられ、その下方端部の少なくとも土層側に返し部分が形成されるフィンを含むものである。
【００２５】
このように構成すると、返し部分が引き抜き時の大きな抵抗となる。
【発明の効果】
【００２６】
以上説明したように、請求項１記載の発明は、爆発時におけるシート体の貯蔵倉庫側の面の土層に対する摩擦抵抗が増大するため、シート体が移動し難くなり、保護状態の信頼性が向上する。
【００２７】
請求項２記載の発明は、請求項１記載の発明の効果に加えて、ゴムシートは不織布シートを介して土層に面するため、施工が容易であり、土層に対するゴムシートの移動が抑制される。
【００２８】
請求項３記載の発明は、請求項１記載の発明の効果に加えて、ゴムシートそのものの摩擦係数が増大するので、ゴムシートのみの取り扱いで済むため、施工が容易となる。
【００２９】
請求項４記載の発明は、爆発時におけるシート体の土層に対する摩擦抵抗が増大するため、シート体が移動し難くなり、保護状態の信頼性が向上する。又、不織布シートの一方面は凹凸状態になるため、袋体の数で不織布シートの土層に対する摩擦力を調整できる。
【００３０】
請求項５記載の発明は、爆発時におけるシート体の土層に対する摩擦抵抗が増大するため、シート体が移動し難くなり、保護状態の信頼性が向上する。又、不織布シートの一方面は凹凸状態になるため、突起体の数で不織布シートの土層に対する摩擦力を調整できる。
【００３１】
請求項６記載の発明は、請求項５記載の発明の効果に加えて、不織布シートの一方面は細かな凹凸状態になるため、砂、小石は容易に入手できるので、コスト的に有利なシート体となる。
【００３２】
請求項７記載の発明は、爆発時におけるシート体の土層に対する引き抜き時の抵抗が増大するため、シート体が移動し難くなり、保護状態の信頼性が向上する。
【００３３】
請求項８記載の発明は、請求項７記載の発明の効果に加えて、引抜力増大手段はシート体に一体となるため、引き抜き時の抵抗の信頼性が向上する。
【００３４】
請求項９記載の発明は、請求項７記載の発明の効果に加えて、返し部分が引き抜き時の大きな抵抗となるため、引き抜き時の抵抗の信頼性が向上する。
【図面の簡単な説明】
【００３５】
【図１】この発明の第１の実施の形態による貯蔵倉庫用シートを用いた貯蔵倉庫の外観形状を示す平面図である。
【図２】図１で示したＩＩ−ＩＩラインの断面図である。
【図３】図２で示したＡ部分の拡大図である。
【図４】この発明の第２の実施の形態による貯蔵倉庫用シートの概略断面図である。
【図５】図２で示した貯蔵倉庫用シートを用いた他の貯蔵倉庫の概略断面図である。
【図６】この発明の第３の実施の形態による貯蔵倉庫用シートを用いた貯蔵倉庫を示す概略断面図である。
【図７】図６で示したＢ部分の拡大図である。
【図８】この発明の第４の実施の形態による貯蔵倉庫用シートを用いた貯蔵倉庫を示す概略断面図である。
【図９】図８で示したＣ部分の拡大図である。
【図１０】この発明の第５の実施の形態による貯蔵倉庫用シートの概略断面図である。
【図１１】この発明の第６の実施の形態による貯蔵倉庫用シートの概略断面図である。
【図１２】この発明の第７の実施の形態による貯蔵倉庫用シートを用いた貯蔵倉庫の概略断面図である。
【図１３】図１２で示した第２シート体の引抜力増大手段の形成方法を示す概略工程図である。
【図１４】この発明の第８の実施の形態による貯蔵倉庫用シートを用いた貯蔵倉庫の概略断面図である。
【図１５】図１２で示した貯蔵倉庫用シートを用いた他の貯蔵倉庫の概略断面図である。
【図１６】この発明の第９の実施の形態による貯蔵倉庫用シートを用いた貯蔵倉庫の概略断面図である。
【図１７】図１６で示したＤ部分の拡大図である。
【図１８】図１６で示した貯蔵倉庫用シートを用いた他の貯蔵倉庫の概略断面図である。
【発明を実施するための形態】
【００３６】
図１はこの発明の第１の実施の形態による貯蔵倉庫用シートを用いた貯蔵倉庫の外観形状を示す平面図であり、図２は図１で示したＩＩ−ＩＩラインの断面図であり、図３は図２で示したＡ部分の拡大図である。
【００３７】
これらの図を参照して、貯蔵倉庫１１の中心となる、火薬類等が貯蔵されている倉庫本体１９は、地面である設置面７上に設置されている。倉庫本体１９は、その材質は限定しないが、以下に述べるようなその外面に設置する構造体等を保持できるような強度を有する構造であれば良い。
【００３８】
倉庫本体１９の外面であって設置面７より上の面が第１土層３１で覆われており、その外面が貯蔵倉庫用シートである第１シート体２１によって覆われている。図３で示すように、第１シート体２１は、総ゴム製の遮水シート５１と、遮水シート５１の両面に接着剤層５２ａ、５２ｂを介して取り付けられた摩擦力増大手段である不織布シート５３ａ、５３ｂとから構成されている。尚、第１シート体２１においては、不織布シート５３ａの下面に接着剤を含有させ、遮水シート５１の上面に接着した後、不織布シート５３ｂの上面に接着剤を含有させ、遮水シート５１の下面に接着して形成すれば良い。
【００３９】
このような第１シート体２１は、第１シート体２１の内方側に位置する倉庫本体１９及び第１土層３１への雨水等の浸入を阻止する遮水機能を有している。更に、遮水シート５１は、その両面に取り付けられた不織布シート５３ａ、５３ｂによって、遮水シート５１が本来有している摩擦係数より大きな摩擦係数を有することになる。即ち、第１シート体２１の両面の摩擦係数が増大することになる。
【００４０】
又、第１シート体２１の外面は第２土層３２で覆われており、その外面が第２シート体２２によって覆われている。更に、第２シート体２２の外面は第３土層３３で覆われている。第２シート体２２は織布よりなる補強用シートが用いられており、倉庫本体１９の爆発時における第２土層３２の飛散を抑えるように、その網目間隔や繊維強度が決定されている。即ち、第２シート体２２は爆発抑制機能を有している。
【００４１】
又、第２シート体２２の設置面７側の端部となる平坦部４１ａ、４１ｂの各々は、固定手段の一例となるアンカーボルト等の複数の固定部材４２ａ、４２ｂによって長手方向（図２の貫通方向）に連続的に設置面７に固定されている。平坦部４１ａ、４１ｂの幅や強度及び固定部材４２ａ、４２ｂの設置間隔は、爆風圧の大きさによって設定すれば良い。
【００４２】
次に、この貯蔵倉庫１１における安全性について説明する。
【００４３】
倉庫本体１９に収納されている火薬類がなんらかの原因で爆発すると、周囲にその破片が飛散したり爆風が拡散する。しかし、倉庫本体１９の設置面７より上の周囲は第２シート体２２で覆われているため、破片や爆風は第２シート体２２により抑制される。又、第２シート体２２は倉庫本体１９の外方を覆うと共に、その平坦部４１ａ、４１ｂが設置面７に固定されているため、第２シート体２２は爆風等によって捲りあがることが無い。その結果、第２シート体２２が破損しない状態では、倉庫本体１９を包囲した第２シート体２２に伝達された爆風等の外部への拡散が抑制されるため、周囲の安全性が向上する。尚、設置面７の方向に拡散した爆風は地面に吸収され、設置面７より上の周囲に影響を与えることは無い。
【００４４】
又、第２シート体２２と同様に倉庫本体１９を包囲する第１シート体２１においては、上述した通り第１シート体２１の遮水シート５１の両面の摩擦係数が増加するため、第１シート体２１の第１土層３１及び第２土層３２に対する摩擦抵抗が増加する。即ち、第１シート体２１が移動し難くなると共に、移動後においても動摩擦力による抵抗が継続するため、第１シート体２１における保護状態の信頼性が向上する。即ち、第１シート体２１は基本的には遮水機能を有するものであるが、爆発抑制機能を併せ持つシートとなる。
【００４５】
更に、第１シート体２１の遮水シート５１は不織布シート５３ａ、５３ｂを介して第１土層３１及び第２土層３２に面する簡易な構成となるため、第１シート体２１の設置作業が容易となる。
【００４６】
更に、第１シート体２１は遮水性を有しているため、第１シート体２１の内方側に位置する倉庫本体１９及び第１土層３１に雨水等が浸透することは無い。従って、倉庫本体１９内の火薬類の湿潤が防止される。更に、第１土層３１内の含水率が維持される。即ち、第１土層３１の粘性が保持されるため、第１土層３１の崩壊が防止される。
【００４７】
このように、貯蔵倉庫１１においては、基本的には第１シート体２１と第２シート体２２とが遮水機能と爆発抑制機能とを分担している。従って、例えばゴムシートの内部に織布を埋設したような、遮水機能と爆発抑制機能とが一体化したシート体を１枚用いる貯蔵倉庫の場合に比べて、効率的な配置が可能となる。即ち、各々の機能を要する範囲に第１シート体２１と第２シート体２２とを設置すれば良いため、第１シート体２１と第２シート体２２との設置範囲に無駄が無くなる。
【００４８】
又、第２シート体２２の外面が第３土層３３によって覆われているため、第２シート体２２の設置状態が安定すると共に、倉庫本体１９の爆発によって伝達された爆風等による第２シート体２２の浮き上がりが、第３土層３３によって確実に防止されることになる。従って、第２シート体２２の爆発抑制機能が更に向上し、貯蔵倉庫１１の信頼性が向上する。
【００４９】
尚、第１土層３１、第２土層３２及び第３土層３３の土の種類や施工厚さは、倉庫本体１９内に貯蔵される火薬類の爆発力による第１シート体２１及び第２シート体２２への影響などに応じて、種々の構造に決定すれば良い。
【００５０】
又、このような貯蔵倉庫１１は、図２の二点鎖線で示すように、地下に設置される貯蔵倉庫１１に対しても同様に適用することができる。以下に、上述した地上に設置される貯蔵倉庫１１と相違する点を中心に説明する。
【００５１】
図２を参照して、倉庫本体１９は、地面５を掘削して形成された掘削底面である設置面７上に設置されている。又、第２シート体２２の外面は、その上面が地面５に整列した第３土層３３によって覆われている。即ち、掘削側面４４ａ、４４ｂを含め掘削部分の残りが全て第３土層３３で埋められることになる。尚、このような第３土層３３を第２シート体２２の固定手段とし、第２シート体２２の平坦部４１ａ、４１ｂを設置面７上に固定しても良い。その場合、上述したアンカーボルト等の固定部材４２ａ、４２ｂは無くても良い。又は、第３土層３３と固定部材４２ａ、４２ｂとを併せて固定手段として使用しても良い。
【００５２】
尚、このような地下に設置される貯蔵倉庫１１における効果については、上述した地上に設置される貯蔵倉庫１１と同様であることは言うまでも無い。
【００５３】
図４はこの発明の第２の実施の形態による貯蔵倉庫用シートの概略断面図であって、第１の実施の形態の図３に対応するものである。
【００５４】
尚、この実施の形態による貯蔵倉庫用シートである第１シート体２３を備える貯蔵倉庫にあっては、図２で示す貯蔵倉庫の第１シート体の構造を除いては同一であるため、ここでは第１シート体２３を中心に説明する。
【００５５】
図を参照して、この実施の形態による第１シート体２３は、総ゴム製の遮水シートのみで構成されている。そして、第１シート体２３の両面が凹凸状態に加工されており、両面には凹凸模様５５が形成されている。この凹凸模様５５によって、爆破時における第１シート体２３の第１土層３１及び第２土層３２に対する摩擦抵抗が増大する。従って、第１シート体２３が移動し難くなり、第１シート体２３における貯蔵倉庫の保護状態の信頼性が向上する。
【００５６】
又、第１シート体２３は、凹凸模様５５によって遮水シート（ゴムシート）そのものの摩擦係数が増大するように構成されているため、設置時において第１の実施の形態のように不織布シートを加える必要が無く、第１シート体２３のみの取り扱いで済むことになる。従って、貯蔵倉庫の施工が容易となる。
【００５７】
図５は図２で示した貯蔵倉庫用シートを用いた他の貯蔵倉庫の概略断面図であって、図２に対応するものである。
【００５８】
この貯蔵倉庫１２にあっては、第１シート体２１の設置位置及び設置形状を除いては、図２で示した貯蔵倉庫と同一である。即ち、倉庫本体１９の外面は、土層を介さずに直接第１シート体２１に覆われている。そして、第１シート体２１は倉庫本体１９及び第１土層３１に対する摩擦抵抗が増大することになるため、移動し難くなる。
【００５９】
又、このような貯蔵倉庫１２においては、第１シート体２１で直接倉庫本体１９を遮水することになるため、図２で示した貯蔵倉庫に比べて、第１シート体２１の使用量を抑えることができる。即ち、コスト的に有利な貯蔵倉庫１２となる。
【００６０】
尚、第１シート体２１より外方側の構造については、図２で示した貯蔵倉庫と同一であるため、同様の効果を発揮することは言うまでも無い。
【００６１】
更に、図２で示した貯蔵倉庫と同様、図で示す地上に設置される場合に限らず、貯蔵倉庫１２は地下に設置される場合であっても同様に適用することができる。
【００６２】
図６はこの発明の第３の実施の形態による貯蔵倉庫用シートを用いた貯蔵倉庫を示す概略断面図であって、第１の実施の形態の図２に対応するものであり、図７は図６で示したＢ部分の拡大図である。
【００６３】
尚、この実施の形態による貯蔵倉庫用シートである第２シート体２４を備える貯蔵倉庫１３にあっては、図２で示す貯蔵倉庫の第２シート体の構造を除いては同一であるため、ここでは第２シート体２４を中心に説明する。
【００６４】
これらの図を参照して、第２シート体２４は、不織布シート５７と、不織布シート５７の第３土層３３側の外面に取り付けられた、摩擦力増大手段である不織布よりなる複数の袋体５８とから構成されている。尚、図７で示すように、袋体５８の外縁は不織布シート５７の外面に熱溶着によって取り付けられていると共に、その内部には土砂５９が封入されている。
【００６５】
このような第２シート体２４においては、袋体５８によって不織布シート５７の外面が凹凸状態になるため、爆発時における第２シート体２４の第３土層３３に対する摩擦抵抗が増大する。従って、第２シート体２４が移動し難くなるため、第２シート体２４における保護状態の信頼性が更に向上する。
【００６６】
更に、複数の袋体５８の内部には土砂５９が封入されており、第２シート体２４全体の重量が増加するため、第２シート体２４が更に移動し難くなる。
【００６７】
又、第２シート体２４においては、上述した摩擦抵抗の増大によって移動し難くなると共に、移動後においても動摩擦力による抵抗が継続するため、図２で示した固定部材４２ａ、４２ｂが不要となる。従って、図２で示した第２シート体２２のように、爆発によって固定部材４２ａ、４２ｂが設置面７から抜けることで第２シート体２４を固定する力が急激に低下する虞が無くなる。又、固定部材４２ａ、４２ｂが設置面７から抜けた後、周辺に飛散する虞が無くなるため、安全性が向上する。
【００６８】
又、袋体５８の数によって摩擦係数の大きさを調整できるため、不織布シート５７の第３土層３３に対する摩擦力の調整が容易となる。
【００６９】
尚、第２シート体２４より内方側の構造については、図２で示した貯蔵倉庫と同一であるため、同様の効果を発揮することは言うまでも無い。
【００７０】
更に、図２で示した貯蔵倉庫と同様、図で示す地上に設置される場合に限らず、貯蔵倉庫１３は地下に設置される場合であっても同様に適用することができる。
【００７１】
図８はこの発明の第４の実施の形態による貯蔵倉庫用シートを用いた貯蔵倉庫を示す概略断面図であって、第３の実施の形態の図６に対応するものであり、図９は図８で示したＣ部分の拡大図である。
【００７２】
尚、この実施の形態による貯蔵倉庫用シートである第２シート体２５を備える貯蔵倉庫１４にあっては、図６で示す貯蔵倉庫の第２シート体の袋体の形状及び取付位置を除いては同一であるため、ここでは第２シート体２５を中心に説明する。
【００７３】
これらの図を参照して、第２シート体２５は、不織布シート５７と、不織布シート５７の両面に取り付けられた、摩擦力増大手段である不織布よりなる複数の袋体６１とから構成されている。尚、図９で示すように、袋体６１の各々はその内部に土砂６２を封入した状態で、不織布シート５７の両面に熱溶着によって取り付けられている。
【００７４】
このような第２シート体２５においては、袋体６１によって不織布シート５７の両面が凹凸状態になるため、爆発時における第２シート体２５の第２土層及び第３土層３３に対する摩擦抵抗が増大する。従って、不織布シート５７の一方面にのみ袋体６１を設置する場合に比べて、第２シート体２５が更に移動し難くなる。
【００７５】
又、袋体６１の数によって摩擦係数の大きさを調整できるため、不織布シート５７の第２土層３２及び第３土層３３に対する摩擦力の調整が容易となる。
【００７６】
尚、第２シート体２５より内方側の構造については、図６で示した貯蔵倉庫と同一であるため、同様の効果を発揮することは言うまでも無い。
【００７７】
更に、図６で示した貯蔵倉庫と同様、図で示す地上に設置される場合に限らず、貯蔵倉庫１４は地下に設置される場合であっても同様に適用することができる。
【００７８】
図１０はこの発明の第５の実施の形態による貯蔵倉庫用シートの概略断面図であって、第３の実施の形態の図７に対応するものである。
【００７９】
尚、この実施の形態による貯蔵倉庫用シートである第２シート体２６を備える貯蔵倉庫にあっては、図７で示す貯蔵倉庫の第２シート体の袋体の形状を除いては同一であるため、ここでは第２シート体２６を中心に説明する。
【００８０】
図を参照して、第２シート体２６は、不織布シート５７と、不織布シート５７の第３土層３３側の外面に接着剤層６５を介して取り付けられた、摩擦力増大手段である、例えば合成樹脂よりなる複数の突起体６４とから構成されている。
【００８１】
このような第２シート体２６においては、突起体６４によって不織布シート５７の外面が凹凸状態になるため、爆発時における第２シート体２６の第３土層３３に対する摩擦抵抗が増大する。従って、第２シート体２６が移動し難くなる。
【００８２】
又、突起体６４の数によって摩擦係数の大きさを調整できるため、不織布シート５７の第３土層３３に対する摩擦力の調整が容易となる。
【００８３】
図１１はこの発明の第６の実施の形態による貯蔵倉庫用シートの概略断面図であって、第５の実施の形態の図１０に対応するものである。
【００８４】
尚、この実施の形態による貯蔵倉庫用シートである第２シート体２７を備える貯蔵倉庫にあっては、図１０で示す第２シート体の突起体の形状を除いては同一であるため、ここでは第２シート体２７を中心に説明する。
【００８５】
図を参照して、第２シート体２７は、不織布シート５７と、不織布シート５７の第３土層３３側の外面に接着剤層６８を介して取り付けられた、摩擦力増大手段である、例えば砂・小石６７とから構成されている。
【００８６】
このような第２シート体２７においては、砂・小石６７によって不織布シート５７の外面が凹凸状態になるため、爆発時における第２シート体２７の第３土層３３に対する摩擦抵抗が増大する。従って、第２シート体２７が移動し難くなる。
【００８７】
又、砂・小石６７は現場等で容易に入手できるものであるため、製造が容易となり、コスト的に有利な第２シート体２７となる。
【００８８】
図１２はこの発明の第７の実施の形態による貯蔵倉庫用シートを用いた貯蔵倉庫の概略断面図であって、第１の実施の形態の図２に対応するものである。
【００８９】
尚、この実施の形態による貯蔵倉庫用シートである第２シート体２８を備える貯蔵倉庫１７にあっては、図２で示す第２シート体の端部形状を除いては同一であるため、ここでは第２シート体２８を中心に説明する。
【００９０】
図を参照して、織布又は不織布等よりなる第２シート体２８の両端部は、第３土層３３側に折り返された折り返しシート部７１ａ、７１ｂと、折り返しシート部７１ａ、７１によって折り返されたスペースの各々に長手方向に連続して格納された複数の袋体７２ａ、７２ｂとから構成されている。尚、袋体７２ａ、７２ｂ内には土砂が封入されている。折り返しシート部７１ａ、７１ｂ及び袋体７２ａ、７２ｂで構成される第２シート体２８の端部の形成方法については後述する。
【００９１】
このように構成された第２シート体２８は、爆発によって第３土層３３に接する面上における第３土層３３に対して引き抜くような力が発生すると、該引き抜き力に対して折り返しシート部７１ａ、７１ｂ及び袋体７２ａ、７２ｂが抵抗となる。即ち、折り返しシート部７１ａ、７１ｂ及び袋体７２ａ、７２ｂは、その引き抜き力をこのような端部構造でない通常の第２シート体のみの引き抜き力より大きくする引抜力増大手段となり、引き抜き時の抵抗が増大する。従って、第２シート体２８が移動し難くなると共に、移動後においても引き抜きに対する抵抗が継続するため、第２シート体２８における保護状態の信頼性が向上する。
【００９２】
更に、複数の袋体７２ａ、７２ｂの内部には土砂が封入されているため、第２シート体２８全体の重量が増加し、更に移動し難くなる。
【００９３】
又、折り返しシート部７１ａ、７１ｂ及び袋体７２ａ、７２ｂは第２シート体２８に一体となるため、不用意に第２シート体２８と離脱する虞が無く、引き抜き時の抵抗の信頼性が向上する。
【００９４】
更に、第３の実施の形態による第２シート体と同様、第２シート体２８においては、上述した引き抜き時の抵抗の増大によって移動し難くなるため、設置面７に対する固定部材等の固定手段が不要となる。
【００９５】
尚、第２シート体２８より内方側の構造については、図２で示した貯蔵倉庫と同一であるため、同様の効果を発揮することは言うまでも無い。
【００９６】
更に、図２で示した貯蔵倉庫と同様、図で示す地上に設置される場合に限らず、貯蔵倉庫１７は地下に設置される場合であっても同様に適用することができる。
【００９７】
次に、折り返しシート部７１ａ、７１ｂ及び袋体７２ａ、７２ｂよりなる引抜力増大手段の形成方法について説明する。
【００９８】
図１３は図１２で示した第２シート体の引抜力増大手段の形成方法を示す概略工程図である。
【００９９】
まず（１）を参照して、第２シート体２８の端部７４側の上面に、砂等を封入した袋体７２を設置する。
【０１００】
次に（２）を参照して、設置された袋体７２の外面に沿って、袋体７２を覆うように第２シート体２８の端部７４を上方且つ手前側（図の右側）に折り曲げる。
【０１０１】
次に（３）を参照して、折り曲げられた第２シート体２８の端部７４を第２シート体２８に熱溶着又は接着剤によって固定する。すると、折り返しシート部７１内のスペースに袋体７２が格納された引抜力増大手段が第２シート体２８の上方側に形成される。
【０１０２】
図１４はこの発明の第８の実施の形態による貯蔵倉庫用シートを用いた貯蔵倉庫の概略断面図であって、図１２に対応するものである。
【０１０３】
尚、この実施の形態による貯蔵倉庫用シートである第２シート体２９を備える貯蔵倉庫１８にあっては、図１２で示す第２シート体の端部構造を除いては同一であるため、ここでは第２シート体２９を中心に説明する。
【０１０４】
図を参照して、織布又は不織布等よりなる第２シート体２９の両端部には、胴部７６と、胴部７６の下方端部に形成された第２土層３２及び第３土層３３側に延びる返し部分７７ａ、７７ｂとからなる、引抜力増大手段であるフィン７８ａ、７８ｂが取り付けられている。
【０１０５】
このように構成された第２シート体２９は、爆発時において第２土層３２及び第３土層３３に接する面上に対して引き抜くような力が発生すると、該引き抜き力に対してフィン７８ａ、７８ｂの返し部分７７ａ、７７ｂが抵抗となる。即ち、引き抜き時の抵抗が増大するため、第２シート体２９が移動し難くなる。
【０１０６】
又、フィン７８ａ、７８ｂの返し部分７７ａは第３土層３３に対して抵抗になると共に、返し部分７７ｂは第２土層３２に対して抵抗となる。従って、フィン７８ａ、７８ｂは第２シート体２９の引き抜き時において大きな抵抗となるため、引き抜き時の抵抗の信頼性が向上する。
【０１０７】
尚、第２シート体２９より内方側の構造については、図１２で示した貯蔵倉庫と同一であるため、同様の効果を発揮することは言うまでも無い。
【０１０８】
更に、図１２で示した貯蔵倉庫と同様、図で示す地上に設置される場合に限らず、貯蔵倉庫１８は地下に設置される場合であっても同様に適用することができる。
【０１０９】
図１５は図１２で示した貯蔵倉庫用シートを用いた他の貯蔵倉庫の概略断面図であって、図１２に対応するものである。
【０１１０】
この貯蔵倉庫２０にあっては、第２シート体２８の設置形状を除いては、地下に設置される図１２で示した貯蔵倉庫と同一である。即ち、第１シート体２１の外面が第２土層３２で覆われており、第２土層３２の上面３８には平面状に設置された第２シート体２８が設置されている。そして、第２シート体２８の上面が第３土層３３によって覆われている。
【０１１１】
そして、平面状に設置された第２シート体２８は、その上面が第３土層３３によって覆われているため、爆発時における捲り上がりが防止される。従って、爆発時の第２土層３２の上方への飛散を抑制することができると共に、広範囲に亘る地表面での土層等の飛散を抑制することができる。
【０１１２】
更に、爆発は放射状に拡散するため、第２シート体２８は、まずその中央部分が上方へと移動しようとする。そして、このように第２シート体２８を移動させる力（引き抜き力）に対して、折り返しシート部７１ａ、７１ｂ及び袋体７２ａ、７２ｂが抵抗となる。従って、第２シート体２８が移動し難くなるため、第２シート体２８における保護状態の信頼性が向上する。
【０１１３】
図１６はこの発明の第９の実施の形態による貯蔵倉庫用シートを用いた貯蔵倉庫の概略断面図であって、図２に対応するものであり、図１７は図１６で示したＤ部分の拡大図である。
【０１１４】
これらの図を参照して、火薬類等が設置されている倉庫本体１９の外面であって設置面７より上の面が第１土層３１で覆われており、その外面が貯蔵倉庫用シートであるシート体４５によって覆われている。更に、シート体４５の外面が第２土層３２で覆われている。
【０１１５】
シート体４５は、図３で示した第１シート体の構造と基本的に同一であり、遮水シートであるゴムシート８１に織布８２が埋設されたものが使用されている点のみが異なっている。従って、図３で示した第１シート体に比べて高強度となるため、遮水機能と爆発抑制機能とを併せ持つ一体型のシート体４５となる。
【０１１６】
そして、図３で示した第１シート体と同様に、シート体４５は第１土層３１及び第２土層３２に対する摩擦抵抗が増大するため、移動し難くなる。又、このような摩擦抵抗の増大に伴い、シート体４５を設置面７に固定する固定手段が不要となる。
【０１１７】
このように、遮水機能と爆発抑制機能とを併せ持つシート体４５によって、図２で示した貯蔵倉庫と同様に、倉庫本体１９及び第１土層３１への雨水等の浸入を防止すると共に、倉庫本体１９の爆発による第１土層３１の飛散を抑制することができる。従って、図２で示した貯蔵倉庫のように爆発抑制機能を有するシート体を別途設ける必要が無くなり、コスト的に有利な貯蔵倉庫３５となる。
【０１１８】
尚、図２で示した貯蔵倉庫と同様、図で示す地上に設置される場合に限らず、貯蔵倉庫３５は地下に設置される場合であっても同様に適用することができる。
【０１１９】
図１８は図１６で示した貯蔵倉庫用シートを用いた他の貯蔵倉庫の概略断面図であって、図１６に対応するものである。
【０１２０】
この貯蔵倉庫３６にあっては、シート体４５の設置位置及び設置形状を除いては、図１６で示した貯蔵倉庫と同一である。即ち、倉庫本体１９の外面は、土層を介さずに直接シート体４５に覆われている。そして、シート体４５は倉庫本体１９及び土層３１に対する摩擦抵抗が増大することになり、移動し難くなる。
【０１２１】
このような貯蔵倉庫３６においては、シート体４５で直接倉庫本体１９を遮水すると共にその爆発を抑制することになるため、図１６で示した貯蔵倉庫に比べて、シート体４５の使用量を抑えることができる。即ち、コスト的に有利な貯蔵倉庫３６となる。
【０１２２】
尚、図１６で示した貯蔵倉庫と同様、図で示す地上に設置される場合に限らず、貯蔵倉庫３６は地下に設置される場合であっても同様に適用することができる。
【０１２３】
尚、上記の各実施の形態では、貯蔵倉庫用シートは摩擦力増大手段又は引抜力増大手段のいずれか一方のみを有するものであるが、各々の摩擦力増大手段及び引抜力増大手段を組み合わせて使用しても良いことは言うまでも無い。
【０１２４】
又、上記の各実施の形態では、摩擦力増大手段又は引抜力増大手段は貯蔵倉庫用シートの全面又は全端部に形成されているが、例えば通常のシート体と摩擦力増大手段又は引抜力増大手段を有するシート体とを長手方向に対して交互に設置するように構成しても良い。
【０１２５】
更に、上記の第１〜第６の実施の形態では、貯蔵倉庫用シートには特定の素材が使用されているが、各々が有する機能を発揮できるものであれば、織布、不織布、ゴムシート、ポリエチレンシート又はポリ塩化ビニル製シート等、種々の素材を選択して使用しても良い。
【０１２６】
更に、上記の第１〜第６の実施の形態では、特定形状及び特定構造の摩擦力増大手段を有しているが、各シート体における土層に接する面が、各シート体が本来有している摩擦係数より大きな摩擦係数を有するように処理されていれば、例えば各シート体の外面に布目を形成する等、他の形状及び他の構造の摩擦力増大手段を有するものであっても良い。
【０１２７】
更に、上記の第１〜第６の実施の形態では、貯蔵倉庫用シートはその一方面又は両面に対して特定の摩擦力増大手段が形成されているが、各々の摩擦力増大手段は、貯蔵倉庫用シートの外面のうち少なくとも土層に接する面において形成されていれば、形成箇所は一方面であっても両面であっても良い。
【０１２８】
更に、上記の第７〜第９の実施の形態では、特定の引抜力増大手段が設けられているが、第２シート体の端部が、土層に接する面上における該土層に対する引き抜き力が第２シート体のみの引き抜き力より大きくなるように処理されていれば、例えば第２シート体の端部上に大型の土嚢等の重量物を設置する等、引抜力増大手段は他の形状及び構造であっても良い。
【０１２９】
更に、上記の第７〜第９の実施の形態では、第２シート体は爆発による引き抜き力が即時に引抜力増大手段に作用するように形成されているが、例えば第２シート体の端部付近であって、引抜力増大手段より内側（倉庫本体側）に、第２シート体の一部を折り畳む又は撓ませる等して、折り畳み部又は撓み部等の緩衝部を形成しても良い。緩衝部を形成することによって、引き抜き力は緩衝部が伸び切った状態（引き抜き力が緩衝された状態）で引抜力増大手段に作用するため、第２シート体における保護状態の信頼性が更に向上する。
【０１３０】
更に、上記の第１及び第９の実施の形態では、不織布シートはゴムシートの両面に接着剤によって取り付けられているが、不織布シートによって土層に対する摩擦抵抗が増大するのであれば、不織布シートはゴムシートの面に対して直接重ねるように布設しても良い。
【０１３１】
更に、上記の第７及び第８の実施の形態では、引抜力増大手段は倉庫本体の設置面より上方側に設置されているが、土層の数や現場状況に応じて、例えば設置面より下方側に設置されていても良い。
【０１３２】
更に、上記の第７及び第９の実施の形態では、土砂が封入された袋体が折り返しシート部のスペースに格納されているが、例えばこの袋体を第２シート体の端部に直接取り付けるように構成しても良い。その際、例えば図９で示した袋体を用いる場合、そのまま取り付けても良いし、袋体の両端部で第２シート体の端部を挟み込むようにして取り付けても良い。又は、袋体の内部は空気を封入したもの、即ち空であっても良い。更には、折り返しシート部のスペースに直接土砂等を格納しても良い。更には、袋体は大型の土嚢や細長チューブ状に形成されたものであっても良い。細長チューブ状に形成された袋体の場合、長手方向に延びる折り返しシート部のスペースに対して単体で設置できると共に、引き抜き力に対する抵抗が長手方向に連続的に発揮される。
【０１３３】
更に、上記の第８の実施の形態では、フィンには第２土層及び第３土層側に延びる特定形状の返し部分が形成されているが、返し部分は、少なくとも第２土層又は第３土層側のいずれかに対して延びるように形成されていれば良い。又は、例えば断面形状が半円状又は直線状のもの等、引き抜き時の抵抗となるように形成されていれば、返し部分は他の形状であっても良い。
【０１３４】
更に、上記の第９の実施の形態では、シート体には第１の実施の形態による第１シート体のゴムシートに織布を埋設したものを使用しているが、第２の実施の形態による第１シート体に織布を埋設したものを使用しても良い。
【符号の説明】
【０１３５】
１１〜１４、１７、１８、２０、３５、３６…貯蔵倉庫
２１、２３…第１シート体
２４〜２９…第２シート体
３１〜３３…土層
４５…シート体
５１…遮水シート
５３、５７…不織布シート
５５…凹凸模様
５８、６１、７２…袋体
６４…突起体
６７…砂・小石
７１…折り返しシート部
７７…返し部分
７８…フィン
８１…ゴムシート
尚、各図中同一符号は同一又は相当部分を示す。
【図１】
0005722609.tif 000002
【図２】
0005722609.tif 000003
【図３】
0005722609.tif 000004
【図４】
0005722609.tif 000005
【図５】
0005722609.tif 000006
【図６】
0005722609.tif 000007
【図７】
0005722609.tif 000008
【図８】
0005722609.tif 000009
【図９】
0005722609.tif 000010
【図１０】
0005722609.tif 000011
【図１１】
0005722609.tif 000012
【図１２】
0005722609.tif 000013
【図１３】
0005722609.tif 000014
【図１４】
0005722609.tif 000015
【図１５】
0005722609.tif 000016
【図１６】
0005722609.tif 000017
【図１７】
0005722609.tif 000018
【図１８】
0005722609.tif 000019